(57)【特許請求の範囲】
【請求項１】
クリッピングサービスを提供するためのクリッピングサービス提供装置であって、
複数の単位情報を含む情報リソースから単位情報を抽出する条件として用いられる情報であるとともに、１個以上のキーワードを含む情報である抽出条件情報を、複数個、記憶するための抽出条件情報記憶手段と、
前記抽出条件情報記憶手段に記憶された複数個の抽出条件情報に含まれる全種類のキーワードのそれぞれについて、前記複数個の抽出条件情報の中に含まれる、そのキーワードを含む抽出条件情報の数である設定総数を調査すると共に、そのキーワードを含む、前記情報リソース内の単位情報の数であるヒット数を調査する調査処理を、定期的に、実行する調査手段と、
前記調査手段によって前記調査処理が実行される度に、前記調査処理により各キーワードについて得られた設定総数とヒット数とをキーワードランキング指数算出式に代入することにより，各キーワードに関するキーワードランキング指数を算出し、算出したキーワードランキング指数の降順で、前記全種類のキーワードの中から前記所定数のキーワードを選択し、選択したキーワードのリストを作成して保持するリスト作成保持手段と、
前記クリッピングサービスの利用者から抽出条件情報の指定を受け付け、指定された抽出条件情報を前記抽出条件情報記憶手段に記憶する受付手段と、
前記作成手段が保持している前記リストを前記受付手段を利用している前記利用者に提示するための第１リスト提示手段
とを、備え、
前記キーワードランキング指数算出式が、
設定総数を固定しておいた場合には、ヒット数として，任意の数であるＮ１を代入することにより算出されるキーワードランキング指数が，ヒット数として，前記Ｎ１よりも小さな任意の数であるＮ２を代入することにより算出されるキーワードランキング指数以上となる式であると共に、ヒット数を固定しておいた場合には、設定総数として，任意の数であるＭ１を代入することにより算出されるキーワードランキング指数が，設定総数として，前記Ｍ１よりも小さな任意の数であるＭ２を代入することにより算出されるキーワードランキング指数以上となる式である
ことを特徴とするクリッピングサービス提供装置。
【請求項２】
前記受付手段を利用している利用者によって、キーワードの指定を含む所定の指示が出されたときに、そのキーワードを含む前記抽出条件情報記憶手段内の各抽出条件情報に含まれる他のキーワード群の中から第２所定数のキーワードを選択し、選択したキーワードのリストを、当該利用者に提示する第２リスト提示手段を、さらに備える
ことを特徴とする請求項１に記載のクリッピングサービス提供装置。
【請求項３】
前記第２リスト提示手段は、前記選択したキーワードのそれぞれが、そのキーワードを含む前記抽出条件情報の数に応じた情報と共に示されたリストを、前記利用者に提示する
ことを特徴とする請求項２記載のクリッピングサービス提供装置。
【請求項４】
類義語を検索するためのシソーラスデータベースと、
前記受付手段を利用している利用者によって、単語の指定を含む特定の指示が出されたときに、指定された単語の類義語を前記シソーラスデータベースから検索し、検索した類義語の中の、前記抽出条件情報記憶手段に記憶されているいずれかの抽出条件情報にてキーワードとして用いられている類義語のリストを、当該利用者に提示する第３リスト提示手段を、さらに備える
ことを特徴とする請求項１乃至請求項３のいずれかに記載のクリッピングサービス提供装置。
【請求項５】
前記第３リスト提示手段は、検索した類義語の中の、前記抽出条件情報記憶手段に記憶されているいずれかの抽出条件情報にキーワードとして含まれている類義語のそれぞれが、その類義語がキーワードとして含まれている抽出条件情報の数に応じた情報と共に示されたリストを、当該利用者に提示する
ことを特徴とする請求項４記載のクリッピングサービス提供装置。
【発明の詳細な説明】
【０００１】
【発明の属する技術分野】
本発明は、クリッピングサービスを提供するためのクリッピングサービス提供装置に、関する。
【０００２】
【従来の技術】
周知のように、近年、クリッピングサービス、すなわち、定期的に、顧客に、新聞などの多量の情報リソースの中から顧客が必要としている情報だけを抽出して配信するサービスが、多くの事業者によって行なわれるようになっている。
【０００３】
【発明が解決しようとする課題】
クリッピングサービスの具体的な内容は、さまざまであるが、いずれのクリッピングサービスにおいても、その利用者は、どのような条件を満たす情報を自身に配信すべきかを指定するために、検索条件式（キーワードと論理演算子と組み合わせ）を設定することが必要である。
【０００４】
この検索条件式の設定を誤ると、全く情報が配信されないといった問題や、大量の情報が配信されてしまうといった問題が生ずるので、クリッピングサービスは、利用者に適した検索条件式を簡単に設定できるものであることが望まれる。しかしながら、従来、提供されているクリッピングサービスは、配信される情報の数や内容に基づき試行錯誤的に検索条件式を変更していくことしか、利用者が、自身に適した検索条件式を見い出すための方法がないものとなっていた。
【０００５】
そこで、本発明の課題は、利用者が、自身に適した検索条件をより容易に設定できるクリッピングサービス提供装置を提供することにある。
【０００６】
【課題を解決するための手段】
上記課題を解決するために、本発明のクリッピングサービス提供装置は、複数の単位情報を含む情報リソースから単位情報を抽出する条件として用いられる情報であるとともに、１個以上のキーワードを含む情報である抽出条件情報を、複数個、記憶するための抽出条件情報記憶手段と、抽出条件情報記憶手段に記憶された複数個の抽出条件情報に含まれる全種類のキーワードのそれぞれについて、複数個の抽出条件情報の中に含まれる、そのキーワードを含む抽出条件情報の数である設定総数を調査すると共に、そのキーワードを含む、情報リソース内の単位情報の数であるヒット数を調査する調査処理を、定期的に、実行する調査手段と、調査手段によって前記調査処理が実行される度に、前記調査処理により各キーワードについて得られた設定総数とヒット数とをキーワードランキング指数算出式に代入することにより，各キーワードに関するキーワードランキング指数を算出し、算出したキーワードランキング指数の降順で、全種類のキーワードの中から所定数のキーワードを選択し、選択したキーワードのリストを作成して保持するリスト作成保持手段であって、キーワードランキング指数算出式として、設定総数を固定しておいた場合には、ヒット数として，任意の数であるＮ１を代入することにより算出されるキーワードランキング指数が，ヒット数として，Ｎ１よりも小さな任意の数であるＮ２を代入することにより算出されるキーワードランキング指数以上となる式であると共に、ヒット数を固定しておいた場合には、設定総数として，任意の数であるＭ１を代入することにより算出されるキーワードランキング指数が，設定総数として，Ｍ１よりも小さな任意の数であるＭ２を代入することにより算出されるキーワードランキング指数以上となる式が用いられているリスト作成保持手段と、クリッピングサービスの利用者から抽出条件情報の指定を受け付け、指定された抽出条件情報を抽出条件情報記憶手段に記憶する受付手段と、作成手段が保持しているリストを受付手段を利用している利用者に提示するための第１リスト提示手段とを備える。
【０００７】
すなわち、本発明のクリッピングサービス提供装置は、抽出条件情報の指定を行なっている利用者に提示されるキーワードのリストが、定期的に、その時点において設定されている複数個の抽出条件情報に基づき作成される構成を有する。換言すれば、本発明のクリッピングサービス提供装置は、利用者に、他者によって適切なものであることが確認されているキーワードのリストを提示する装置となっている。従って、本発明のクリッピングサービス提供装置によれば、そのようなリストが表示される分、従来よりも、簡単に抽出条件の設定が行なえる形で、クリッピングサービスを提供できることになる。
【０００９】
本発明のクリッピングサービス提供装置を実現するに際しては、受付手段を利用している利用者によって、キーワードの指定を含む所定の指示が出されたときに、そのキーワードを含む抽出条件情報記憶手段内の各抽出条件情報に含まれる他のキーワード群の中から第２所定数のキーワードを選択し、選択したキーワードのリストを、当該利用者に提示する第２リスト提示手段を付加しておくことが出来る。
【００１０】
このような第２リスト提示手段を設けてクリッピングサービス提供装置を構成しておけば、利用者が、提示されるリストの内容から、自身が指定したキーワードに関係する分野のキーワードであって、他者によりキーワードとして適切なものであることが確認されているキーワードを認識することが出来ることになるので、より抽出条件の設定が容易な形でクリッピングサービスを提供できることになる。
【００１１】
また、第２リスト提示手段として、選択したキーワードのそれぞれが、そのキーワードを含む抽出条件情報の数に応じた情報と共に示されたリストを、利用者に提示する手段を採用しても良い。なお、このような構成の第２リスト提示手段を用いる場合、抽出条件情報の数に応じた情報としては、抽出条件情報の数自体や、抽出条件情報の数の大小関係を表す順位情報を、用いることが出来る。
【００１２】
また、類義語を検索するためのシソーラスデータベースと、受付手段を利用している利用者によって、単語の指定を含む特定の指示が出されたときに、指定された単語の類義語をシソーラスデータベースから検索し、検索した類義語の中の、抽出条件情報記憶手段に記憶されているいずれかの抽出条件情報にてキーワードとして用いられている類義語のリストを、当該利用者に提示する第３リスト提示手段とを、付加して、本発明のクリッピングサービス提供装置を実現しても良い。
【００１３】
このような第３リスト提示手段を設けてクリッピングサービス提供装置を構成しておけば、利用者が、提示されるリストの内容から、自身が指定した単語の類義語であって、他者によりキーワードとして適切なものであることが確認されている類義語を認識することが出来ることになるので、より抽出条件の設定が容易な形でクリッピングサービスを提供できることになる。
【００１４】
なお、第３リスト提示手段として、検索した類義語の中の、抽出条件情報記憶手段に記憶されているいずれかの抽出条件情報にキーワードとして含まれている類義語のそれぞれが、その類義語がキーワードとして含まれている抽出条件情報の数に応じた情報と共に示されたリストを、当該利用者に提示する手段を用いても良い。
【００１５】
【発明の実施の形態】
以下、本発明の実施の形態を、図面を参照して詳細に説明する。
【００１６】
本発明の一実施形態に係るクリッピングサービス提供装置は、サービス利用者が指定した条件でクリッピングを行ない、クリッピングした情報を、そこに収められた情報がＷｅｂブラウザによってブラウズすることが出来るクリッピングフォルダに収めるクリッピングサービスを提供する一種のＷｅｂサーバ装置である。また、本実施形態に係るクリッピングサービス提供装置が提供するクリッピングサービスは、インターネット関連の各種サービスからなる特定のインターネットサービスの付加サービスとなっている。換言すれば、クリッピングサービスは、上記インターネットサービスの提供を受けるための手続きを完了している者（以下、メンバと表記する）が、クリッピングサービスを受けるための手続きを終えたときに、その者（以下、サービス利用者と表記する）への提供が開始されるサービスとなっている。さらに、クリッピングサービスは、サービス利用者が、クリッピング条件を違えた複数個のクリッピングフォルダを所有することが出来るサービスとなっている。
【００１７】
以上のことを前提として、以下、本実施形態に係るクリッピングサービス提供装置の構成、動作を、説明する。
【００１８】
まず、図１を用いて、新たなクリッピングフォルダを作成するときに、サービス利用者が、自身のコンピュータ（Ｗｅｂブラウザ）に表示させるべきＷｅｂページであるとともに、本クリッピングサービス提供装置がその提供を行なっているＷｅｂページであるクリッピング設定ページの構成、機能を、説明する。
【００１９】
図示したように、クリッピング設定ページは、作成するクリッピングフォルダ（以下、作成対象クリッピングフォルダと表記する）の名称を指定するためのフォルダ名入力欄１０１、記事の保存日数を指定するための保存日数設定欄１０２、１０種の情報リソースの中から実際に検索対象とする情報リソースを選択するための１０個のリソース選択用チェックボックス１０３を、備えている。また、クリッピング設定ページは、ｎ（≧１）個のキーワードと（ｎ−１）個の演算子とを含む検索条件式を設定するための６個のキーワード入力欄１０４及び５個の演算子選択欄１０５と、６個を超えるキーワードを用いる場合にサービス利用者が押下すべき“追加”ボタン１０６と、その押下によりクリッピング設定ページにて設定した内容の確認が行なえるウインドウが表示される“設定内容を確認する”ボタン１１０とを、備えている。
【００２０】
さらに、クリッピング設定ページは、６個の条件設定用ラジオボタン１１１，“反映→”ボタン１１２，キーワードリスト欄１２１，“反映→”ボタン１２２，“関連ＫＷ表示”ボタン１２３，要調査キーワード入力欄１２４及び“調査”ボタン１２４を、備えている。
【００２１】
クリッピング設定ページに設けられている６個の条件設定用ラジオボタン１１１は、それぞれ、その隣に記してある語句（“インターネット”、“ＡＳＰ”等）にて示される分野に関する記事のクリッピングに適したクリッピング条件が対応づけられているボタンである。クリッピング設定ページを表示しているコンピュータは、いずれかの条件設定用ラジオボタン１１１が選択されている状態で、“反映→”ボタン１１２が押下された場合、選択されている条件設定用ラジオボタン１１１に対応づけられているクリッピング条件を示すものとなるように、１０個のリソース選択用チェックボックス１０３、６個のキーワード入力欄１０４、５個の演算子選択欄１０５の状態（表示内容、チェックの有無）を、変更する。
【００２２】
キーワードリスト欄１２１は、所定数のキーワード（正確には、キーワードとして使用できる単語）が順位と共にその内部に示され、サービス利用者がその内部に示された複数個のキーワードを択一的に選択できるコントロールである。なお、このキーワードリスト欄１２１内に表示されるキーワードの詳細については後述する。
【００２３】
“反映→”ボタン１２２は、キーワードリスト欄１２１内に示されている或るキーワードをキーワード入力欄１０４に設定したいときに、サービス利用者が、キーワードリスト欄１２１に対してそのキーワードを選択する操作を行なった後に押下すべきボタンである。この“反映→”ボタン１２２が押下されたとき、クリッピング設定ページを表示しているコンピュータ（Ｗｅｂブラウザ）は、キーワードリスト欄１２１内の選択されているキーワードを、文字情報が入力されていない、最も上に位置しているキーワード入力欄１０４内に表示する。
【００２４】
“関連ＫＷ表示”ボタン１２３は、キーワードリスト欄１２１内に示されている或るキーワードに関する関連キーワードウインドウを表示させたいときに、サービス利用者が、キーワードリスト欄１２１に対してそのキーワードを選択する操作を行なった後に押下すべきボタンである。関連キーワードウインドウの詳細についても後述するが、関連キーワードウインドウは、キーワードリスト欄１２１と同様に、複数種類のキーワードが順位と共にその内部に示されるアイテムとなっている。
【００２５】
“関連ＫＷ表示”ボタン１２３が押下された際、クリッピング設定ページを表示しているコンピュータ（Ｗｅｂブラウザ）は、キーワードリスト欄１２１にて選択されているキーワードを含む関連キーワード表示要求をクリッピングサービス提供装置に対して送信する（より正確には、キーワードリスト欄１２１にて選択されているキーワードを含み、クリッピングサービス提供装置が受信し処理することになる関連キーワード表示要求を、インターネット上に送信する）。そして、当該コンピュータは、関連キーワード表示要求への応答としてクリッピングサービス提供装置が送信してくる情報（詳細は後述）に基づき、関連キーワードウインドウの表示を行なう。
【００２６】
要調査キーワード入力欄１２４及び“調査”ボタン１２５は、これらを用いることにより、サービス利用者が、或る単語がキーワードとして適切なもの（適度な数の記事が検索されるもの）であるかを調べることが出来るコントロールである。具体的には、サービス利用者は、キーワードとして適切なものであるかを調べたい単語がある場合、その単語を要調査キーワード入力欄１２４に入力した後、“調査”ボタン１２５を押下する。“調査”ボタン１２５が押下されると、クリッピング設定ページを表示しているコンピュータは、要調査キーワード入力欄１２４に設定されているキーワードを含むキーワード調査要求を、クリッピングサービス提供装置に対して送信する。そして、当該コンピュータは、そのキーワード調査要求への応答としてクリッピングサービス提供装置が送信してくる情報に基づき、キーワードリスト欄１２１、関連キーワードウインドウと同様に、複数種類のキーワードが順位と共にその内部に示されるアイテムである調査結果ウインドウ（詳細は後述）の表示を行なう。
【００２７】
すなわち、本クリッピングサービス提供装置には、クリッピングフォルダの設定を行なおうとしているサービス利用者に、その内部に複数のキーワードが順位と共に示された３種のアイテム（キーワードリスト欄１２１、関連キーワードウインドウ及び調査結果ウインドウ；以下、キーワード提示アイテムとも表記する）を提示する機能が、設けられている。
【００２８】
そして、本クリッピングサービス提供装置は、これらのキーワード提示アイテムとして、適切なクリッピングが行なえるキーワードが列挙されたものが表示されるように、かつ、それらの内容がタイムリーなものとなるように、構成された装置となっている。具体的には、クリッピングサービス提供装置は、以下のように、構成されている。
【００２９】
図２に、クリッピングサービス提供装置の機能ブロック図を示す。図示したように、クリッピングサービス提供装置は、メンバ情報データベース１１、記事情報データベース１２、フォルダ定義情報データベース１３、シソーラスデータベース１４、ランキング指数データベース１５、フォルダ格納部１６、及び、制御部１７を、備えている。なお、この図及び後述する図３〜図６には、データベースのことをＤＢと略記し、キーワードのことをＫＷと略記してある個所が、存在している。
【００３０】
メンバ情報データベース１１は、上記したインターネットサービスの提供を受けるための手続きを完了しているメンバのそれぞれについて、本人認証用の情報（メンバＩＤとパスワード）と、各種の属性情報（性別、年令、興味のある分野に関する情報等のメンバになる手続時に入力された情報や、クリッピングサービスの利用者であるか否かを示す情報）とが記憶されたデータベースである。クリッピングサービス提供装置（制御部１７）は、このメンバ情報データベース１１を参照して、自身にアクセスしてきた者がサービス利用者であるか否かの判定を行なう。
【００３１】
記事情報データベース１２は、各種事業者から、毎日、配信される複数の記事情報を収集しておくためのデータベースである。
【００３２】
フォルダ定義情報データベース１３は、サービス利用者毎に、そのサービス利用者がクリッピング設定ページを用いて設定した幾つかのフォルダ定義情報（フォルダ名，保存日数，抽出対象指定情報及び検索条件式を含む情報）が記憶されたデータベースである。
【００３３】
シソーラスデータベース１４は、さまざまな単語についてその類義語が記憶されたデータベースである。
【００３４】
ランキング指数データベース１５は、図３に模式的に示したように、キーワード欄、設定者数欄，ヒット数欄，キーワード単独ランキング指数欄，関連キーワード欄，両キーワード設定者数欄及び関連キーワードランキング指数欄を有し、或るキーワード（キーワード欄に記憶された或る単語）に対して、関連キーワードと両キーワード設定者数と関連キーワードランキング指数とを、何組か記憶できる構成のデータベースである。詳細は後述するが、このランキング指数データベース１５は、毎日、その内容が更新されるデータベースとなっており、本クリッピングサービス提供装置では、このランキング指数データベース１５が参照されて、キーワードリスト欄１２１、関連キーワードウインドウ、調査結果ウインドウの内容が決定される。
【００３５】
制御部１７は、クリッピングサービスを提供する機能を、クリッピングサービス提供装置に付与している機能ブロックであり、上記した本人認証処理を含むさまざまな処理を実行する。
【００３６】
例えば、本人認証が完了しているサービス利用者から、そのサービス利用者の所有している或るクリッピングフォルダ内の記事情報の閲覧が要求された場合、制御部１７は、そのサービス利用者に、そのクリッピングフォルダに収められている各記事情報の題名等が示された記事一覧ページを提供する。そして、その記事一覧ページに対して読む記事を選択する操作が成された場合には、選択された記事が示されたＷｅｂページをサービス利用者に提供する。
【００３７】
また、各種事業者が新たな記事情報の配信を開始した際には、それらの記事情報を取得して記事情報ＤＢ１２に記憶するとともに、記事情報ＤＢ１２に新たに記憶された記事情報を、フォルダ定義情報データベース１３内の各フォルダ定義情報に従ってクリッピングし、その結果を対応するクリッピングフォルダに格納する処理を行なう。
【００３８】
そして、制御部１７は、そのような処理を行なう際には、ランキング指数データベース１５を更新する処理であるとともに、クリッピング設定ページのソースデータを用意する処理であるランキング指数データベース更新処理も実行する。
【００３９】
以下、図４及び図５を用いて、ランキング指数データベース更新処理時の制御部１７の動作を説明する。
【００４０】
ランキング指数データベース更新処理時、制御部１７は、ランキング指数データベース１５をクリアし、そのクリアしたランキング指数データベース１５に対して、フォルダ定義情報データベース１３に記憶されている全種類のキーワードについてのキーワードエントリを、対応する設定者数を“０”として作成するとともに、各キーワードに関するヒット数として、記事情報データベース１２内の、そのキーワードを含み、かつ、過去、所定期間の間にその配信が行われている記事情報の数を、設定する（ステップＳ１０１）。要するに、制御部１７は、ランキング指数データベース１５のキーワード欄とヒット数欄とについての設定をこのステップＳ１０１にて行なう。なお、クリッピングサービス提供装置は、このステップＳ１０１における“所定期間”を設定（変更）できるように構成されており、通常、クリッピングサービス提供装置は、“所定期間”が、二週間程度の期間となるような形態で運用される。
【００４１】
次いで、制御部１７は、フォルダ定義情報データベース内の最初のフォルダ定義情報を処理対象フォルダ定義情報として取得（ステップＳ１０２）し、その処理対象フォルダ定義情報に含まれる最初のキーワードを処理対象キーワードとして特定する（ステップＳ１０３）。そして、制御部１７は、ランキング指数データベース１５内の処理対象キーワードに関する設定者数に“１”を加算する（ステップＳ１０４）。その後、制御部１７は、関連キーワード情報設定処理(ステップＳ１０５)を開始する。
【００４２】
図５に示したように、関連キーワード情報設定処理時、制御部１７は、まず、処理対象フォルダ定義情報に含まれる、処理対象キーワード以外のキーワードである関連キーワードの中に、後述するステップＳ２０２以降の処理が終了していないもの残っているか否かを判断する（ステップＳ２０１）。要するに、関連キーワード情報設定処理開始時に実行されるこのステップＳ２０１では、処理対象フォルダ定義情報が２つ以上のキーワードを含むものであるか１つしかキーワードを含まないものであるかが判断される。
【００４３】
そして、未処理の関連キーワードがあった場合（ステップＳ２０１；ＹＥＳ）、換言すれば、処理対象フォルダ定義情報が２つ以上のキーワードを含むものであった場合、制御部１７は、最初の関連キーワードを処理対象関連キーワードとして特定する（ステップＳ２０２）。その後、制御部１７は、処理対象キーワード及び処理対象関連キーワードに関する関連キーワードエントリが存在しているか否か（処理対象キーワードに対応づけられてランキング指数データベース１５に記憶されている関連キーワードの中に、処理対象関連キーワードが含まれているか否か）を判断（ステップＳ２０３）し、そのような関連キーワードエントリが存在していなかった場合（ステップＳ２０３；ＮＯ）には、処理対象関連キーワードに関する関連キーワードエントリを、対応する両キーワード設定者数を“１”としてランキング指数データベース１５内に作成する（ステップＳ２０４）。一方、処理対象キーワード及び処理対象関連キーワードに関する関連キーワードエントリが存在していた場合（ステップＳ２０３；ＹＥＳ）、制御部１７は、その関連キーワードエントリに対応する両キーワード設定者数に“１”を加算する（ステップＳ２０５）。
【００４４】
ステップＳ２０４或いはＳ２０５の実行後、制御部１７は、ステップＳ２０１に戻り、処理対象フォルダ定義情報内に未処理の関連キーワードが残っているか否かを判断する。そして、制御部１７は、未処理の関連キーワードが残っていた場合（ステップＳ２０１；ＹＥＳ）には、次の関連キーワードに対してステップＳ２０２以降の処理を実行し、全ての関連キーワードに対する処理を終えたとき（ステップＳ２０１；ＮＯ）に、関連キーワード情報設定処理を終了する。
【００４５】
関連キーワード情報設定処理（図４；ステップＳ１０５）の終了後、制御部１７は、処理対象フォルダ定義情報内のすべてのキーワードに対する処理が完了したか否かを判断（ステップＳ１０６）し、完了していなかった場合（ステップＳ１０６；ＹＥＳ）には、ステップＳ１０３からの処理を再び実行する。一方、処理対象フォルダ定義情報内のすべてのキーワードに対する処理が完了していた場合（ステップＳ１０６；ＮＯ）、制御部１７は、全てのフォルダ定義情報に対する処理が完了したか否かを判断する（ステップＳ１０７）。
【００４６】
全てのフォルダ定義情報に対する処理が完了していなかった場合（ステップＳ１０７；ＮＯ）、制御部１７は、ステップＳ１０２からの処理を再び実行する。そして、制御部１７は、全てのフォルダ定義情報に対する処理が完了したとき（ステップＳ１０７；ＹＥＳ）、ランキング指数データベース１５に、キーワード単独ランキング指数、関連キーワードランキング指数を設定する処理（ステップＳ１０８）を行なう。具体的には、制御部１７は、以下に記す（１）式、（２）式に基づき、キーワード“Ｋｉ”に関するキーワード単独ランキング指数Ｒｓ[Ｋｉ]、キーワード“Ｋｉ”と関連キーワード“Ｋｊ”とに関する関連キーワードランキング指数Ｒｄ[Ｋｉ、Ｋｊ]を算出し、各算出結果を、ランキング指数データベース１５に設定する。
【００４７】
【数１】
0003768821.tif 000002
【００４８】
なお、上記（１）、（２）式において、Ｎｓ[Ｋｉ]は、キーワード“Ｋｉ”に関する設定者数であり、ＮｓTOTALは、設定者数の総和である。Ｎｈ[Ｋｉ]は、キーワード“Ｋｉ”に関するヒット数であり、ＮｈTOTALは、ヒット数の総和である。Ｎｄ[Ｋｉ、Ｋｊ]は、キーワード“Ｋｉ”に対応づけられている関連キーワード“Ｋｊ”に関する両キーワード設定者数であり、ＮｄSUM[Ｋｉ]は、キーワード“Ｋｉ”に対応づけられている全ての関連キーワードに関する両キーワード設定者数の総和である。ＮｈSUM[Ｋｉ]は、キーワード“Ｋｉ”に対応づけられている全ての関連キーワードに関するヒット数（キーワード“Ｋｉ”と対応づけられている関連キーワードと同じキーワードに対応づけられているヒット数）の総和である。
【００４９】
すなわち、このステップＳ１０８では、各キーワードに対するキーワード単独ランキング指数が、ヒット数が等しいキーワードのキーワード単独ランキング指数に関しては、設定者数がより多いキーワードのキーワード単独ランキング指数の方がより大きくなり、設定者数が等しいキーワードのキーワード単独ランキング指数に関しては、ヒット数がより多いキーワードのキーワード単独ランキング指数の方がより大きくなり、キーワード単独ランキング指数が設定者数の影響よりもヒット数の影響を強く受けることになる演算式である（１）式に基づき、算出されている。また、ステップＳ１０８では、関連キーワードランキング指数の算出も、関連キーワードランキング指数の値と、ヒット数及び両ＫＷ設定者数との間に、同種の関係が成立する演算式である（２）式に基づき、行なわれる。
【００５０】
ステップＳ１０１〜Ｓ１０８を実行することによりランキング指数データベース１５の更新を終えた後、制御部１７は、ステップＳ１０９にて、以下の処理を行なう。まず、制御部１７は、ランキング指数データベース１５から、キーワード単独ランキング指数の降順で所定数のキーワードを抽出する。そして、制御部１７は、予め用意されているクリッピング設定ページ用のソースデータの雛型データを修正することにより、キーワードリスト欄１２１内に、抽出した所定数のキーワードが、対応するキーワード単独ランキング指数の降順で、キーワード単独ランキング指数に応じた順位（キーワード単独ランキング指数が最大のキーワードの順位が１位）と共に示されることになるクリッピング設定ページ用のソースデータを作成する。
【００５１】
そして、制御部１７は、ステップＳ１０９及びランキング指数データベース更新処理を終了する。
【００５２】
また、制御部１７は、関連キーワード表示要求を受信した際には、以下のように動作する。
【００５３】
関連キーワード表示要求を受信した場合、制御部１７は、その要求に含まれるキーワードに対応づけられてランキング指数データベース１５に記憶されている関連キーワードの中から、キーワード連携ランキング指数の降順で、所定数の関連キーワードを抽出し、抽出した所定数の関連キーワードが、キーワード連携ランキング指数の降順で、順位と共に示された関連キーワードウインドウを、Ｗｅｂブラウザに表示させるための情報を作成する。そして、制御部１７は、作成した情報を、受信した関連キーワード表示要求の送信を行なったコンピュータに返送する。
【００５４】
また、キーワード調査要求を受信した場合、制御部１７は、図６に示したように、シソーラスデータベース１４から、その要求に含まれる単語である入力キーワードについての類義語を抽出（検索）する(ステップＳ３０１)。その後、制御部１７は、ランキング指数データベース１５からの、入力キーワード、抽出された各類義語についてのキーワード単独ランキング指数の読み出しを試みる(ステップＳ３０２)。なお、ステップＳ３０１で一つも類義語が抽出されなかった場合、制御部１７は、このステップＳ３０２において、入力キーワードに関するキーワード単独ランキング指数の読み出しのみを試みる。
【００５５】
そして、キーワード単独ランキング指数が読み出せた単語（入力ＫＷ、類義語）があった場合（ステップＳ３０３；ＹＥＳ）、制御部１７は、それら１つ以上の単語が、キーワード単独ランキング指数の降順で、順位と共に示された調査結果ウインドウを、Ｗｅｂブラウザに表示させるための情報を、受信したキーワード調査要求の送信を行なったコンピュータに返送(ステップＳ３０４)し、キーワード調査要求に対する処理を終える。一方、キーワード単独ランキング指数が読み出せた単語がなかった場合（ステップＳ３０３；ＮＯ）、制御部１７は、有効な調査が行なえなかった旨のメッセージが記された調査結果ウインドウをＷｅｂブラウザに表示させるための情報を、受信したキーワード調査要求の送信を行なったコンピュータに返送(ステップＳ３０５)して、キーワード調査要求に対する処理を終える。
【００５６】
以上、説明したように、本実施形態に係るクリッピングサービス提供装置が提供するクリッピング設定ページには、キーワード単独ランキング指数が大きな所定数のキーワードが示されるキーワードリスト欄１２１が設けられている。そして、キーワード単独ランキング指数は、より多くのサービス利用者によって使用されているキーワードに関するキーワード単独ランキング指数が大きな値を取るように、また、比較的に多くのサービス利用者によって使用されてはいるがヒットする確率が低いキーワードのキーワード単独ランキング指数は小さくなるように、その値が決定されている。また、キーワード単独ランキング指数は、設定者数の影響をより強く受けるパラメータとなっているので、多量の情報が検索されてしまうようなキーワードに関するキーワード単独ランキング指数は、そのようなキーワードを用いている者が少ない（多量の情報が検索されてしまうようなキーワードを設定してしまったサービス利用者は、設定条件の変更を行なうので、その結果としてそのようなキーワードを用いている者が少なくなる）が故に、小さなものとなっている。
【００５７】
従って、設定者は、このキーワードリスト欄１２１内に、自分が望む記事を抽出するためのキーワードとして適切と思われるものが存在していた場合には、それ（或いはそれら）をキーワード入力欄１０４に設定することにより、自分が望む記事のクリッピングが行なわれる検索条件を設定できることになる。
【００５８】
また、設定者は、キーワードリスト欄１１１内に、自分がクリッピングを望む分野の記事を抽出するためのキーワードとして適切と思えるものが存在していなかった場合等には、キーワードリスト欄１１１内の、自分がクリッピングを望む記事に何らかの関係があるキーワードを選択して、“関連ＫＷ表示”ボタン１２３を押下することにより、複数のキーワードが示された関連キーワードウインドウを表示させる。この関連キーワードウインドウ内に表示されるキーワードは、サービス利用者が選択したキーワードに対応づけられてランキング指数データベース１５内に記憶されている関連キーワードであり、或るキーワードに対応づけられてランキング指数データベース１５内に記憶されている関連キーワードは、そのキーワードと同じ検索条件式に用いられているキーワードとなっている。従って、関連キーワードウインドウ内の各キーワードは、設定者がキーワードリスト欄１２１から選択したキーワードと同じ分野に関するキーワードとなっている可能性が極めて高く、関連キーワードウインドウ内に、設定者がクリッピングを望む分野の記事を抽出するためのキーワードとして適切と思えるものが含まれていることが多い。
【００５９】
また、サービス利用者は、要調査キーワード欄１２４及び調査ボタン１２５を利用すれば、例えば、或る単語の略語しか思い出せない場合等に、その単語を示された調査結果ウインドウを表示させることも出来る。
【００６０】
このように、本実施形態に係るクリッピングサービス提供装置によれば、３種のキーワード提示アイテムを利用することにより、設定者は、他者によって、キーワードとして使用することが適切なものであることが確認されている多数のキーワードを、知ることが出来る。従って、本クリッピングサービス提供装置によれば、サービス利用者が、簡単に、適確なキーワード設定を行なえる形態で、クリッピングサービスを提供できることになる。
【００６１】
また、クリッピングサービス提供装置は、フォルダ定義情報データベース１３内のフォルダ定義情報に基づき、毎日、ランキング指数データベース１５の内容が更新され、ランキング指数データベース１５の内容に応じて、キーワードリスト欄１２１、関連キーワードウインドウ、評価結果ウインドウに表示されるキーワードが変わるように構成されている。換言すれば、クリッピングサービス提供装置は、その時点において多くの者が興味を持っている事柄に関する語句がタイムリーにサービス利用者に提示される装置ともなっている。
【００６２】
＜変形形態＞
実施形態に係るクリッピングサービス提供装置は、各種の変形を行なうことが出来る。例えば、キーワード単独ランキング指数、関連キーワードランキング指数の算出に（１）、（２）式を用いる必要はない。例えば、Ｎｓ[Ｋｉ]／ＮｓTOTALやＮｓ[Ｋｉ]が、キーワード単独ランキング指数として用いられ、Ｎｄ[Ｋｉ、Ｋｊ]／ＮｄSUM[Ｋｉ]やＮｄ[Ｋｉ、Ｋｊ]、関連キーワードランキング指数のとして用いられるようにしても良い。また、Ｎｈ[Ｋｉ]／ＮｈTOTALやＮｈ[Ｋｉ]がキーワード単独ランキング指数として用いられるようにようにしても良い。ただし、キーワード単独ランキング指数をヒット数のみの関数とすると、大量に記事が検索されてしまうようなキーワードが、キーワードリスト提示アイテムに、上位キーワードとして表示されてしまうことになるので、Ｎｈ[Ｋｉ]／ＮｈTOTALやＮｈ[Ｋｉ]が大きなキーワードが表示されないようにするか、実施形態のように、設定者数が考慮されてキーワード単独ランキング指数が定められるようにしておくことが望ましい。
【００６３】
また、実施形態に係るクリッピングサービス提供装置は、関連キーワードに関するヒット数が算出されない装置であったが、２つのキーワードを含む記事の数を実際にカウントして、その結果から関連キーワードランキング指数が算出されるようにしても良い。
【００６４】
また、クリッピング設定ページの具体的な構成が実施形態のそれと異なるものであっても良いことや、本技術を、クリッピングした情報をメールにてサービス利用者に提供するタイプのクリッピングサービスに適用しても良いことは当然である。
【００６５】
【発明の効果】
本発明のクリッピングサービス提供装置を用いれば、検索条件の設定が容易なクリッピングサービスを提供できることになる。
【図面の簡単な説明】
【図１】  本発明の一実施形態に係るクリッピングサービス提供装置が、クリッピングフォルダの作成希望者に提供するクリッピング設定ページの説明図である。
【図２】  実施形態に係るクリッピングサービス提供装置の構成を示した機能ブロック図である。
【図３】  実施形態に係るクリッピングサービス提供装置が備えるランキング指数データベースの説明図である。
【図４】  実施形態に係るクリッピングサービス提供装置にて実行されるランキング指数データベース更新処理の流れ図である。
【図５】  ランキング指数データベース更新処理中で実行される関連キーワード情報設定処理の流れ図である。
【図６】  実施形態に係るクリッピングサービス提供装置の、キーワード調査要求を受信した際の動作手順を示した流れ図である。
【符号の説明】
１１  メンバ情報データベース
１２  記事情報データベース
１３  フォルダ定義情報データベース
１４  シソーラスデータベース
１５  ランキング指数データベース
１６  フォルダ格納部
１７  制御部
【図１】
0003768821.tif 000003
【図２】
0003768821.tif 000004
【図３】
0003768821.tif 000005
【図４】
0003768821.tif 000006
【図５】
0003768821.tif 000007
【図６】
0003768821.tif 000008